(57)【特許請求の範囲】
【請求項１】
少なくとも第１のサービスエリアを提供する第１の基地局または第２のサービスエリアを提供する第２の基地局の何れかと無線通信する移動体通信端末において、
呼び出しインジケータチャネル（ＰＩＣＨ）中の呼び出しインジケータ（ＰＩ）および呼び出しチャネル（ＰＣＨ）を含むシステム情報を前記第１の基地局または前記第２の基地局から受信するシステム情報受信手段と、
前記第１のサービスエリア内において、前記システム情報受信手段によって受信したシステム情報のうち前記ＰＩを受信することにより着信有りを受信した後、前記システム情報受信手段による前記ＰＣＨの受信に失敗することにより自着信情報の取得に失敗した場合に、前記第１の基地局との無線通信から前記第２の基地局との無線通信へ切替えるためのセルリセレクション処理を実行するセルリセレクション手段と、
を備えることを特徴とする移動体通信端末。
【請求項２】
前記セルリセレクション手段は、前記システム情報受信手段による前記ＰＣＨの受信の失敗から再送されるＰＩを受信するまでの間に、前記セルリセレクション処理を実行することを特徴とする請求項１に記載の移動体通信端末。
【請求項３】
さらに、
前記第１のサービスエリア内において、前記システム情報受信手段によって受信したシステム情報のうち前記ＰＩを受信することにより着信有りを受信した後、前記システム情報受信手段による前記ＰＣＨの受信に失敗することにより自着信情報の取得に失敗した場合に、前記第１の基地局との無線通信のみが可能である場合、前記第１の基地局および前記第２の基地局以外の第３の基地局が提供する第３のサービスエリアを検索するセルサーチ処理を実行するセルサーチ手段、
を備えることを特徴とする請求項１に記載の移動体通信端末。
【請求項４】
前記セルリセレクション手段は、前記セルサーチ手段によって検索された第３の基地局との通信レベルが前記第１の基地局との通信レベルより大きい場合、前記第１の基地局との無線通信から前記第３の基地局との無線通信へ切替えるためのセルリセレクション処理を実行することを特徴とする請求項３に記載の移動体通信端末。
【請求項５】
少なくとも第１のサービスエリアを提供する第１の基地局または第２のサービスエリアを提供する第２の基地局の何れかと無線通信する移動体通信端末において実行される着信検出方法であって、
システム情報受信手段が、呼び出しインジケータチャネル（ＰＩＣＨ）中の呼び出しインジケータ（ＰＩ）および呼び出しチャネル（ＰＣＨ）を含むシステム情報を前記第１の基地局または前記第２の基地局から受信し、
セルリセレクション手段が、前記第１のサービスエリア内において、前記システム情報受信手段によって受信したシステム情報のうち前記ＰＩを受信することにより着信有りを受信した後、前記システム情報受信手段による前記ＰＣＨの受信に失敗することにより自着信情報の取得に失敗した場合に、前記第１の基地局との無線通信から前記第２の基地局との無線通信へ切替えるためのセルリセレクション処理を実行する、
ことを特徴とする着信検出方法。
【請求項６】
少なくとも第１のサービスエリアを提供する第１の基地局または第２のサービスエリアを提供する第２の基地局の何れかと無線通信する移動体通信端末のコンピュータを、
呼び出しインジケータチャネル（ＰＩＣＨ）中の呼び出しインジケータ（ＰＩ）および呼び出しチャネル（ＰＣＨ）を含むシステム情報を前記第１の基地局または前記第２の基地局から受信するシステム情報受信手段、
前記第１のサービスエリア内において、前記システム情報受信手段によって受信したシステム情報のうち前記ＰＩを受信することにより着信有りを受信した後、前記システム情報受信手段による前記ＰＣＨの受信に失敗することにより自着信情報の取得に失敗した場合に、前記第１の基地局との無線通信から前記第２の基地局との無線通信へ切替えるためのセルリセレクション処理を実行するセルリセレクション手段、
として機能させるための着信検出プログラム。
【発明の詳細な説明】
【技術分野】
【０００１】
本発明は、携帯電話システムや無線ＬＡＮなどの移動体通信システムに用いられる移動体通信端末および該移動体通信端末において実行される着信検出方法および着信検出プログラムに関し、特に、ＣＤＭＡ（Ｃｏｄｅ  Ｄｉｖｉｓｉｏｎ  Ｍｕｌｔｉｐｌｅ  Ａｃｃｅｓｓ：符号拡散多元接続）システムにおいて、間欠受信制御によって待ち受け時間の延伸を図っている移動体通信端末および該移動体通信端末において実行される着信検出方法および着信検出プログラムに関する。
【背景技術】
【０００２】
従来、Ｗ−ＣＤＭＡ（Ｗｉｄｅｂａｎｄ  ＣＤＭＡ：広帯域ＣＤＭＡ）移動体通信システムにおいては、間欠制御にて移動体通信端末のバッテリーセービングを行っている。
間欠制御は、ＰＩＣＨ（Ｐａｇｉｎｇ  Ｉｎｄｉｃａｔｏｒ  ＣＨａｎｎｅｌ：呼び出しインジケータチャネル）及び、ＳＣＣＰＣＨ（Ｓｅｃｏｎｄａｒｙ  Ｃｏｍｍｏｎ  Ｃｏｎｔｒｏｌ  Ｐｈｙｓｉｃａｌ  ＣＨａｎｎｅｌ：２次共通制御物理チャネル）の物理チャネルにマッピングされているトランスポートチャネルであるＰＣＨ（Ｐａｇｉｎｇ  ＣＨａｎｎｅｌ：呼び出しチャネル）によって移動体通信端末を制御している。【０００３】
ＰＩＣＨは、移動体通信端末に対して着信の有無を通知するための短いＰＩ（Ｐａｇｉｎｇ  Ｉｎｄｉｃａｔｏｒ：呼び出しインジケータ）を送信しており、着信があることを知らされた場合のみＰＩに対応するＰＣＨを移動体通信端末は受信する。すなわち、移動体通信端末は、ＰＣＨの受信に先立ちＰＩＣＨを受信する。ＰＩＣＨは、誤り訂正符号化（Ｃｈａｎｎｅｌ  Ｃｏｄｉｎｇ）が施されていないＰＩデータ（Ｐａｇｉｎｇ  Ｉｎｄｉｃａｔｏｒ  Ｄａｔａ）を送信するチャネルである。そして、このＰＩＣＨにより受信したＰＩデータにより着信呼出（Ｐａｇｉｎｇ）の可能性の有無を判定し、着信の可能性がある場合にのみ上記ＰＣＨを受信して着信データの復号再生処理を行なうようにしている。この結果、移動体通信端末では、ＰＩＣＨにより着信の可能性が確認された場合にのみＰＣＨの受信が行われ、その他の場合にはＰＣＨの受信は行われない。【０００４】
ＰＩがマッピングされるフレームの間欠受信周期は、ＤＲＸ  Ｃｙｃｌｅｓ  Ｌｅｎｇｔｈ（間欠周期）として、基地局の報知情報により指定される。そして、移動体通信端末がＰＩを受信した際にセル移行検出のためのレベル測定処理も並行して行なう。また、周辺セルを検出するためのセルサーチ処理は、消費電流の影響を考慮し適切な周期にて行っている。【０００５】
例えば、日本国特許公開公報特開２００４−１１２１４８号公報に開示された発明は、移動通信端末の待ち受け時においてハンドオーバーを行なう際の報知情報受信におけるＣＲＣ（Ｃｙｃｌｉｃ  Ｒｅｄｕｎｄａｎｃｙ  Ｃｈｅｃｋ：巡回冗長検査）がＮＧ（ＣＲＣ−ＮＧ）になったときに、事前にキャッシュしておいた報知情報を使用している。これにより報知情報を受信する期間が短くなり、動作時間も短縮されるため、消費電力の低減を図ることが可能である。また、セルリセレクションが頻発する環境において、セルリセレクションを効率的に行なうことができるために、セルリセレクション時間を短縮できることから、着信率の向上に繋がっている。セルリセレクションとは、移動体通信端末が待機状態に遷移しているときに、移動体通信端末が複数の受信波を検知した場合、最適な受信波を１つ選択する動作である。【０００６】
ここで、従来のセルリセレクションの実行タイミングを説明する。
図１は、従来の技術における基地局とサービスエリアと移動体通信端末との関係を示す図であり、図２は、従来の技術における受信レベルとセルリセレクションとの関係を示す図である。【０００７】
図１において、移動体通信端末１０は、第１のサービスエリア２１内においては第１のサービスエリア２１を提供する第１の基地局２０と無線通信し、第２のサービスエリア３１内においては第２のサービスエリア３１を提供する第２の基地局３０と無線通信する。そして、第１のサービスエリア２１と第２のサービスエリア３１とが重なる領域内においては、移動体通信端末１０は、移動体通信端末１０の位置に応じた第１の基地局２０または第２の基地局３０からの着信呼出を受信することにより、第１の基地局２０または第２の基地局３０と無線通信することができる。【０００８】
移動体通信端末１０が第１のサービスエリア２１内から第２のサービスエリア３１内に移動した場合、図２に示すように、第１のサービスエリア２１内における第１の基地局２０との受信レベルは、移動体通信端末１０が第１のサービスエリア２１内から第２のサービスエリア３１内に移動する時間の経過とともに下降し、第２のサービスエリア３１内における第２の基地局３０との受信レベルは、移動体通信端末１０が第１のサービスエリア２１内から第２のサービスエリア３１内に移動する時間の経過とともに上昇する。【０００９】
第１のサービスエリア２１内での受信レベルが第２のサービスエリア３１内での受信レベルを上回っている間は、移動体通信端末１０は第１の基地局２０と無線通信をしている。そして、第１のサービスエリア２１内での受信レベルと第２のサービスエリア３１内での受信レベルとが逆転する時刻ｔ１から、第２のサービスエリア３１内での受信レベルが第１のサービスエリア２１内での受信レベルを所定値以上上回った時刻ｔ２までも、移動体通信端末１０は第１の基地局２０と無線通信をしている。【００１０】
ところが、第２のサービスエリア３１内での受信レベルが第１のサービスエリア２１内での受信レベルを所定値以上上回った時刻ｔ２において、セルリセレクションが実行され、移動体通信端末１０は第２の基地局３０と無線通信をするようになる。
【発明の開示】
【００１１】
しかしながら、従来の技術では、移動体通信端末の受信環境（アクティブセル）が劣化した場合など、ＰＩにより着信情報を受信したもののＰＣＨの受信に失敗（ＣＲＣ−ＮＧ）した場合、移動体通信端末は着信できなくなるという問題点があった。
【００１２】
図３は、従来の技術における移動体通信端末が着信できない場合を説明するための図である。
図３に示すように、従来、第１のサービスエリア２１内での受信レベルと第２のサービスエリア３１内での受信レベルとが逆転する時刻ｔ１から、第２のサービスエリア３１内での受信レベルが第１のサービスエリア２１内での受信レベルを所定値以上上回った時刻ｔ２の間において、第１の基地局からの着信呼出があった場合は、第１のサービスエリア２１内での受信レベルが下降しているために受信劣化を起こしているにも関わらず、移動体通信端末１０は第１の基地局２０と無線通信しようとするので、着信を失敗してしまう。
【００１３】
図４は、従来の技術における着信検出処理の流れを示すフローチャートである。
移動体通信端末１０が第１のサービスエリア２１内から第２のサービスエリア３１内に移動した場合を想定して説明する。
【００１４】
まず、ステップＳ４１において、移動体通信端末１０が第１のサービスエリア２１において、呼び出しインジケータチャネル（ＰＩＣＨ）中の呼び出しインジケータ（ＰＩ）の受信を行なう。ＰＩＣＨは、位置登録を行っている基地局からその基地局が提供するサービスエリア内の何れかの移動体通信端末１０に着信がある（自群着信）ことを知らせるために送られてくる呼び出しインジケータ転送用のチャネルである。そして、ステップＳ４２において、自群着信があると判断された場合（ステップＳ４２：ＹＥＳ）は、ステップＳ４３において、その直後（例えば、約２ミリ秒弱後）に送信される呼び出しチャネル（ＰＣＨ）を受信する。ＰＣＨは、自群着信が自分の移動体通信端末１０への呼び出しかどうかを知らせるためのチャネルである。
【００１５】
次に、ステップＳ４４において、移動体通信端末１０が第１のサービスエリア２１内から第１のサービスエリア２１外へ移動し始めたことによる受信劣化のために、ＰＣＨの受信に失敗することにより自着信情報の取得に失敗（ＣＲＣ−ＮＧ）したと判断した場合（ステップＳ４４：ＮＯ）は、ステップＳ４５において、再度送信されてくるＰＩを受信する。そして、ステップＳ４６において、自群着信があると判断された場合（ステップＳ４６：ＹＥＳ）は、ステップＳ４７において、その直後に送信されるＰＣＨを受信する。
【００１６】
ステップＳ４８において、ＰＣＨの受信に再度失敗したと判断した場合（ステップＳ４８：ＮＯ）は、ステップＳ４９において、接続に失敗したと判断する。
他方、ステップＳ４４あるいはステップＳ４８でＰＣＨの受信に成功（ＣＲＣ−ＯＫ）したと判断した場合（ステップＳ４４：ＹｅｓまたはステップＳ４８：ＹＥＳ）は、ステップＳ５０において、接続要求を行ない、ステップＳ５１において、接続を行なう。
【００１７】
本発明は、上記事情に鑑みてなされたもので、移動体通信端末の受信環境が劣化した場合などであって、ＰＩにより着信情報を受信したもののＰＣＨの受信に失敗（ＣＲＣ−ＮＧ）した場合であっても、確実に着信することが可能な移動体通信端末および該移動体通信端末において実行される着信検出方法および着信検出プログラムを提供することを目的とする。
【００１８】
本発明は、上記課題を解決するため、下記のような構成を採用した。
すなわち、本発明の一態様によれば、本発明の移動体通信端末は、少なくとも第１のサービスエリアを提供する第１の基地局または第２のサービスエリアを提供する第２の基地局の何れかと無線通信する移動体通信端末であって、呼び出しインジケータチャネル（ＰＩＣＨ）中の呼び出しインジケータ（ＰＩ）および呼び出しチャネル（ＰＣＨ）を含むシステム情報を前記第１の基地局または前記第２の基地局から受信するシステム情報受信手段と、前記第１のサービスエリア内において、前記システム情報受信手段によって受信したシステム情報のうち前記ＰＩを受信することにより着信有りを受信した後、前記システム情報受信手段による前記ＰＣＨの受信に失敗することにより自着信情報の取得に失敗した場合（ＣＲＣ−ＮＧ）に、前記第１の基地局との無線通信から前記第２の基地局との無線通信へ切替えるためのセルリセレクション処理を実行するセルリセレクション手段とを備えることを特徴とする。
【００１９】
これにより、セルリセレクションされた第２の基地局から再送される呼び出しチャネルの自着信情報を取得する確率を上げ、着信率を向上させることができる。
また、本発明の移動体通信端末は、前記セルリセレクション手段が、前記システム情報受信手段による前記ＰＣＨの受信の失敗から再送されるＰＩを受信するまでの間に、前記セルリセレクション処理を実行することが望ましい。
【００２０】
また、本発明の移動体通信端末は、さらに、前記第１のサービスエリア内において、前記システム情報受信手段によって受信したシステム情報のうち前記ＰＩを受信することにより着信有りを受信した後、前記システム情報受信手段による前記ＰＣＨの受信に失敗することにより自着信情報の取得に失敗した場合（ＣＲＣ−ＮＧ）に、前記第１の基地局との無線通信のみが可能である場合、前記第１の基地局および前記第２の基地局以外の第３の基地局が提供する第３のサービスエリアを検索するセルサーチ処理を実行するセルサーチ手段を備えることが望ましい。
【００２１】
また、本発明の移動体通信端末は、前記セルリセレクション手段が、前記セルサーチ手段によって検索された第３の基地局との通信レベルが前記第１の基地局との通信レベルより大きい場合、前記第１の基地局との無線通信から前記第３の基地局との無線通信へ切替えるためのセルリセレクション処理を実行することが望ましい。
【００２２】
また、本発明の一態様によれば、本発明の着信検出方法は、少なくとも第１のサービスエリアを提供する第１の基地局または第２のサービスエリアを提供する第２の基地局の何れかと無線通信する移動体通信端末において実行される着信検出方法であって、システム情報受信手段が、呼び出しインジケータチャネル（ＰＩＣＨ）中の呼び出しインジケータ（ＰＩ）および呼び出しチャネル（ＰＣＨ）を含むシステム情報を前記第１の基地局または前記第２の基地局から受信し、セルリセレクション手段が、前記第１のサービスエリア内において、前記システム情報受信手段によって受信したシステム情報のうち前記ＰＩを受信することにより着信有りを受信した後、前記システム情報受信手段による前記ＰＣＨの受信に失敗することにより自着信情報の取得に失敗した場合（ＣＲＣ−ＮＧ）に、前記第１の基地局との無線通信から前記第２の基地局との無線通信へ切替えるためのセルリセレクション処理を実行することを特徴とする。
【図面の簡単な説明】
【００２３】
【図１】従来の技術における基地局とサービスエリアと移動体通信端末との関係を示す図である。
【図２】従来の技術における受信レベルとセルリセレクションとの関係を示す図である。
【図３】従来の技術における移動体通信端末が着信できない場合を説明するための図である。
【図４】従来の技術における着信検出処理の流れを示すフローチャートである。
【図５】基地局とサービスエリアと移動体通信端末との関係を示す図である。
【図６】ＰＩＣＨ中のＰＩとＰＣＨとの関係を示す図（その１）である。
【図７】ＰＩＣＨ中のＰＩとＰＣＨとの関係を示す図（その２）である。
【図８】セルリセレクションが実行されるタイミングを説明するための図（その１）である。
【図９】セルリセレクションが実行されるタイミングを説明するための図（その２）である。
【図１０】本発明を適用した着信検出処理の流れを示すフローチャートである。
【発明を実施するための最良の形態】
【００２４】
以下、図面に基づいて本発明を適用した実施の形態を説明する。
本発明の概要は、移動体通信端末が呼び出し受信により着信有りを検出し、呼び出しチャネルによる移動体通信端末への自着信情報の取得が失敗した場合に、現在のアクティブセルより最適なセルへ切り替え（セルリセレクション）を行なうことにより、再送された呼び出しチャネルを確実に受信するというものです。【００２５】
図５は、基地局とサービスエリアと移動体通信端末との関係を示す図である。
図５において、移動体通信端末４０は、従来の移動体通信端末１０と同様に、第１のサービスエリア２１内においては第１のサービスエリア２１を提供する第１の基地局２０と無線通信し、第２のサービスエリア３１内においては第２のサービスエリア３１を提供する第２の基地局３０と無線通信する。そして、第１のサービスエリア２１と第２のサービスエリア３１とが重なる領域内においては、移動体通信端末４０は、従来の移動体通信端末１０と同様に、移動体通信端末４０の位置に応じた第１の基地局２０または第２の基地局３０からの着信呼出を受信することにより、第１の基地局２０または第２の基地局３０と無線通信することができる。【００２６】
図６および図７は、ＰＩＣＨ中のＰＩとＰＣＨとの関係を示す図である。
移動体通信端末４０は、ＰＩＣＨ中のＰＩおよびＰＣＨを含むシステム情報を第１の基地局２０または第２の基地局３０から受信する。ＰＩの受信後、約２ミリ秒弱後にＰＣＨを受信するが、ＰＣＨの受信に失敗した場合は、１間欠周期（例えば、２．５６秒）毎にＰＩおよびＰＣＨを受信する。また、ＰＩＣＨとＰＣＨは３スロット離れており、ＰＩＣＨ中にＰＩが挿入されているので、それを移動体通信端末４０が受信する。【００２７】
図８および図９は、セルリセレクションが実行されるタイミングを説明するための図である。
図８に示すように、第１のサービスエリア２１内での受信レベルと第２のサービスエリア３１内での受信レベルとが逆転する時刻ｔ１から、第２のサービスエリア３１内での受信レベルが第１のサービスエリア２１内での受信レベルを所定値以上上回った時刻ｔ２の間において、第１の基地局からの着信呼出があった場合、第１のサービスエリア２１内での受信レベルが下降しているために受信劣化を起こしているにも関わらず、移動体通信端末４０は第１の基地局２０と無線通信しようとするので、着信を失敗してしまう。【００２８】
そして、その直後に、セルリセレクションを実行する。すなわち、第１のサービスエリア２１内において、受信したシステム情報のうち前記ＰＩを受信することにより着信有りを受信した後、前記ＰＣＨの受信に失敗することにより自着信情報の取得に失敗（ＣＲＣ−ＮＧ）した段階で、前記第１の基地局２０との無線通信から前記第２の基地局３０との無線通信へ切替えるためのセルリセレクション処理を実行する。そして、その後に切り替わった第２のサービスエリア３１内でＰＩの受信およびそれに続くＰＣＨの受信を行なう。【００２９】
図１０は、本発明を適用した着信検出処理の流れを示すフローチャートである。
移動体通信端末４０が第１のサービスエリア２１内から第２のサービスエリア３１内に移動した場合を想定して説明する。【００３０】
まず、ステップＳ４１において、移動体通信端末４０が第１のサービスエリア２１において、呼び出しインジケータチャネル（ＰＩＣＨ）中の呼び出しインジケータ（ＰＩ）の受信を行なう。ＰＩＣＨは、位置登録を行っている基地局からその基地局が提供するサービスエリア内の何れかの移動体通信端末４０に着信がある（自群着信）ことを知らせるために送られてくる呼び出しインジケータ転送用のチャネルである。そして、ステップＳ４２において、自群着信があると判断された場合（ステップＳ４２：ＹＥＳ）は、ステップＳ４３において、その直後（例えば、約２ミリ秒弱後）に送信される呼び出しチャネル（ＰＣＨ）を受信する。ＰＣＨは、自群着信が自分の移動体通信端末４０への呼び出しかどうかを知らせるためのチャネルである。【００３１】
次に、ステップＳ４４において、移動体通信端末４０が第１のサービスエリア２１内から第１のサービスエリア２１外へ移動し始めたことによる受信劣化のために、ＰＣＨの受信に失敗することにより自着信情報の取得に失敗（ＣＲＣ−ＮＧ）したと判断した場合（ステップＳ４４：ＮＯ）は、ステップＳ１０１において、移動体通信端末４０が通信可能な基地局が、現在無線通信を行なっている第１の基地局２０のみであり、第２の基地局あるいはその他の基地局とは通信が不可能であるか（アクティブセルのみであるか）否かを判断する。アクティブセルのみであるか否かを判定する手法としては、間欠時にレベル測定を行なうセルの数が１セルであるか否かで判定する。間欠時は、アクティブセルは１セルのみであるので、レベル測定を行なうセル数が２セル以上であると指定された場合は、１セルはアクティブセルであり、残りは周辺セルと判断できる。なお、アクティブセルとは、無線通信端末と現在無線通信を行なっている基地局が提供するサービスエリアのことである。【００３２】
ステップＳ１０１でアクティブセルのみでないと判断された場合（ステップＳ１０１：ＮＯ）は、ステップＳ１０２において、アクティブセルよりも通信レベルが高い他の周辺セル（無線通信端末と現在無線通信を行なっていない基地局が提供するサービスエリア）が存在するか否かを判断する。そして、アクティブセルよりも通信レベルが高い他の周辺セルが存在する場合（ステップＳ１０２：ＹＥＳ）は、ステップＳ１０３において、他の周辺セルのうち受信レベルが最も高い周辺セル（例えば、第２の基地局３０が提供する第２のサービスエリア３１）へセルリセレクション処理を実行する。【００３３】
他方、ステップＳ１０１でアクティブセルのみであると判断された場合、すなわち、第１のサービスエリア２１内において、ＰＩを受信することにより着信有りを受信した後、ＰＣＨの受信に失敗することにより自着信情報の取得に失敗した場合（ＣＲＣ−ＮＧ）に、第１の基地局２０との無線通信のみが可能である場合（ステップＳ１０１：ＹＥＳ）は、ステップＳ１０４において、第１の基地局２０以外に無線通信可能な他の基地局が存在するか否か、例えば第１の基地局２０および第２の基地局３０以外の第３の基地局が提供する第３のサービスエリアを検索するセルサーチ処理を実行する。そして、ステップＳ１０５において、第１の基地局２０以外に無線通信可能な他の基地局が存在すると判断された場合（ステップＳ１０５：ＹＥＳ）は、ステップＳ１０２ではアクティブセルよりも通信レベルが高い他の周辺セルが存在すると判断されるので、ステップＳ１０３において、第３の基地局が提供する第３のサービスエリアへセルリセレクション処理を実行する。【００３４】
そして、ステップＳ４５において、セルリセレクション処理後に再度送信されてくるＰＩを受信する。そして、ステップＳ４６において、自群着信があると判断された場合（ステップＳ４６：ＹＥＳ）は、ステップＳ４７において、その直後に送信されるＰＣＨを受信する。【００３５】
ステップＳ４８において、ＰＣＨの受信に再度失敗したと判断した場合（ステップＳ４８：ＮＯ）は、ステップＳ４９において、接続に失敗したと判断する。
他方、ステップＳ４４あるいはステップＳ４８でＰＣＨの受信に成功（ＣＲＣ−ＯＫ）したと判断した場合（ステップＳ４４：ＹｅｓまたはステップＳ４８：ＹＥＳ）は、ステップＳ５０において、接続要求を行ない、ステップＳ５１において、接続を行なう。【００３６】
以上、本発明の実施の形態を、図面を参照しながら説明してきたが、本発明は、以上に述べた実施の形態に限定されるものではなく、本発明の要旨を逸脱しない範囲内で種々の構成または形状を取ることができる。【００３７】
本発明によれば、受信環境が劣化した場合などに再送されるＰＣＨの受信成功確率を上げ、結果的に着信率の向上が可能となる。
【図１】
0004755252.tif 000002
【図２】
0004755252.tif 000003
【図３】
0004755252.tif 000004
【図４】
0004755252.tif 000005
【図５】
0004755252.tif 000006
【図６】
0004755252.tif 000007
【図７】
0004755252.tif 000008
【図８】
0004755252.tif 000009
【図９】
0004755252.tif 000010
【図１０】
0004755252.tif 000011